(57)【要約】【課題】会話をするための携帯音声端末と映像を送受信するための映像端末を別体として、呼設定を管理サーバー側で処理するようにした事により、携帯音声端末での通話中に携帯音声端末と映像端末を組み合わせ、テレビ電話として使用できるようにする。【解決手段】映像を送受信するための映像端末と、音声を無線で送受信するための音声端末と、無線通信と優先通信とを相互変換するための無線有線通信変換端末と、複数の映像端末と音声端末の端末情報を管理するための管理手段と、前記管理手段の情報により端末間の呼制御を行う呼制御手段と、前記音声端末、映像端末と通信を行う通信制御手段からなる管理サーバーとからなり、前記管理サーバーによって、前記音声端末間の論理音声データチャネルと、前記映像端末間の論理データチャネルを開設するまでの制御を行うテレビ電話システム。【選択図】        図１
2004165949.tif 000002
【特許請求の範囲】
【請求項１】
映像撮像手段と、前記映像撮像手段で撮像された映像信号を符号化する映像符号化手段と、符号化された映像信号を復号するための映像復号化手段と、前記復号化手段で復号化された映像信号を表示するための映像表示手段と、通信回線を介してデータを通信するための通信手段とからなる映像端末と、
音声入力手段と、前記音声入力手段から入力された音声信号を符号化する音声符号化手段と、符号化された音声信号を復号するための音声復号化手段と、前記音声復号化手段で復号化された音声信号を音に変換するための発音手段と、無線でデータを通信するための無線通信手段とからなる音声端末と、
無線通信と有線通信とを相互変換するための無線有線通信変換端末と、
複数の上記映像端末と音声端末の端末情報を管理するための管理手段と、前記管理手段の情報により端末間の呼制御を行う呼制御手段と、前記音声端末、映像端末と通信を行う通信制御手段からなる管理サーバーとからなり、
前記管理サーバーによって、前記音声端末間の論理音声データチャネルと、前記映像端末間の論理データチャネルを開設するまでの制御を行うことを特徴とするテレビ電話システム。
【請求項２】
前記管理サーバー内の管理手段の情報を更新することにより、前記音声端末、映像端末の組み合わせを自由に変更することができることを特徴とする請求項１記載のテレビ電話システム。
【発明の詳細な説明】
【０００１】
【発明の属する技術分野】
本発明は、ＩＳＤＮやＡＤＳＬ、ＣＡＴＶなどを経由してパケット通信網に接続され、遠隔地点間で動画像、音声、静止画、その他のマルチメディア情報の通信を行なうテレビ電話システムに関する。
【０００２】
【従来の技術】
動画像、音声、静止画、その他のマルチメディア情報の伝送をＬＡＮ上で行なうパケット通信端末装置としては、ＩＴＵ−ＴからＨ．３２３として勧告化されている。このＨ．３２３の勧告に従った端末機器を使い、ＬＡＮを使用したＩＰ電話、ＩＰテレビ電話システムなどが実現可能となった。これに伴い、データ通信、電話等のための社内のインフラをＬＡＮに統一する動きも出てきている。
【０００３】
図４に、従来のＨ．３２３通信端末のブロック構成図を示す。４０１はビデオカメラなどの映像入力機器、４０２はビデオカメラ４０１からの映像信号を圧縮し符号化するビデオ符号化部、４０３はマイクなどの音声入力機器、４０４はマイク４０３からの音声信号を圧縮し符号化する音声符号化部、４０５は符号化された映像情報および音声情報をビデオパケット、オーディオパケットにパケット化処理を行うパケット制御部、４０６は受信したビデオパケット、オーディオパケットをデパケット化し、符号化映像情報および符号化音声情報を構成させるデパケット制御部、４０７は受信した符号化映像情報を伸張し復号化するビデオ復号化部、４０８はビデオモニタなどの映像出力機器、４０９は受信した符号化音声情報を復号化するオーディオ復号化部、４１０はスピーカ等の音声出力機器、４１１はＬＡＮとのインターフェースを取るためのＬＡＮ  Ｉ／Ｆである。
【０００４】
４１２は呼制御・システム制御部で、適切な操作のためのシグナリングを提供する。提供される機能は、呼制御、能力情報交換、命令と通知のシグナリング、および論理チャネルの開設などである。さらに、それぞれのメディアタイプに応じて、論理フレーミング、シーケンス番号付加、エラー検出、エラー訂正機能を提供する。４１３は送信されるビデオ、オーディオ、データおよび制御ストリームをＬＡＮ  Ｉ／Ｆ部４１１に出力するために形式に従ってデータ配置すると共に、ＬＡＮ  Ｉ／Ｆ部４１２から受信したビデオ、オーディオ、データおよび制御ストリームを取り出し、デパケット制御部４０５と呼制御、システム制御部４１３へ振り分ける。
【０００５】
次に図８を用いてゲートキーパー経由でのＨ．３２３端末の接続手順を説明する。図８において８０１は呼の制御を行うゲートキーパー、８０２−１、８０２−２はＨ．３２３端末である。はじめに８０１−１から８０２−２へ電話をかけるための呼設定１がゲートキーパー８０１に対して送られる。これを受けてゲートキーパー８０１から８０２−２のＨ．３２３端末へ呼設定２が送られる。
【０００６】
８０２−２のＨ．３２３端末側でこの呼設定を受け付けると応答３がゲートキーパー８０１へ送られ、ゲートキーパー８０１はこれを受けてＨ．３２３端末に対して応答４を送る。この応答によって通信制御用のチャネル５と６がゲートキーパー８０１とＨ．３２３端末８０２−１、８０２−２との間に開設される。この通信制御用チャネルを使用して端末間で能力情報の交換が行われ、映像、音声の通信モードが端末間で決定され、音声論理データチャネル７と映像論理データチャネル１３が開設され、このチャネルを使って符号化された音声と映像が通信される。
【０００７】
（ここでの説明では、通信制御用チャネルまでをゲートキーパー経由で接続したが、これは本実施例に最も近い物を説明するためで、この他にもアドレスの解決のみをゲートキーパーで行う場合や、呼設定と応答までをゲートキーパー経由で行い、その先の通信制御用データチャネルは端末間で直接開設する場合もある）。
【０００８】
【発明が解決しようとする課題】
しかしながら、上記従来例のＨ．３２３端末（テレビ電話）では、カメラ、モニタ、ハンドセット等が一体になっているためどうしても固定の設置となっていた。このため、Ｈ．３２３端末（テレビ電話）を実際に社内の内線等に摘要した場合、近年ＰＨＳ等を使って各自に一つの電話番号を割り当てた内線システム等に比べると、各自の机にＨ．３２３端末（テレビ電話）を設置することは、ある意味昔ながらの固定電話に戻る感覚であるため、なかなか受け入れられなくなってきている。
【０００９】
また、携帯電話の通信速度の向上により、携帯電話でのテレビ電話も可能となってきているが、本体に表示部とカメラを搭載しているため、電話を自分から離して持ち、自分をカメラで撮影しながら話さなければならず、大変使いにくく、携帯電話の携帯性とテレビ電話の利便性を両立させることが、困難であった。
【００１０】
【課題を解決するための手段】
上記課題を解決するために、本発明においては、
映像撮像手段と、前記映像撮像手段で撮像された映像信号を符号化する映像符号化手段と、符号化された映像信号を復号するための映像復号化手段と、前記復号化手段で復号化された映像信号を表示するための映像表示手段と、通信回線を介してデータを通信するための通信手段とからなる映像端末と、
音声入力手段と、前記音声入力手段から入力された音声信号を符号化する音声符号化手段と、符号化された音声信号を復号するための音声復号化手段と、前記音声復号化手段で復号化された音声信号を音に変換するための発音手段と、無線でデータを通信するための無線通信手段とからなる音声端末と、
無線通信と有線通信とを相互変換するための無線有線通信変換端末と、
複数の上記映像端末と音声端末の端末情報を管理するための管理手段と、前記管理手段の情報により端末間の呼制御を行う呼制御手段と、前記音声端末、映像端末と通信を行う通信制御手段からなる管理サーバーとからなり、
前記管理サーバーによって、前記音声端末間の論理音声データチャネルと、前記映像端末間の論理データチャネルを開設するまでの制御を行うことにより、異なる２つの端末（映像端末と音声端末）を一つの端末として連携して動作するようにした。
【００１１】
また、前記管理サーバー内の管理手段の情報を更新することにより、前記音声端末、映像端末の組み合わせを自由に変更することができることから、必要に応じて組み合わせを決定できるようにした。
【００１２】
【発明の実施の形態】
以下、図面を参照して、本発明の第一の実施例を詳細に説明する。
【００１３】
図１は、本発明の第一の実施例に係わるテレビ電話システムの全体構成を示す図である。
【００１４】
図１において、２００−１、２００−２は映像の入出力をおこなう映像端末、３００−１、３００−２は音声の入出力を行う音声端末である。１０１は複数ある映像端末と音声端末を管理する管理サーバーである。管理サーバー１０１の各部を説明する。１１１は映像端末２００、携帯音声端末３００と通信し制御するための通信制御部、１１２はＬＡＮ上で音声電話、テレビ電話の呼を接続するための呼制御を行うための呼制御手段、１１３は通信制御部１１１で管理する映像端末、音声端末の組み合わせを管理するための管理テーブルである。１０２はＬＡＮの信号を無線信号に変換するための無線ＬＡＮアクセスポイント、１０３は従来からのＬＡＮ経由でテレビ電話を行うためのＨ．３２３端末である。
【００１５】
図２は図１の２００−１、２００−２の映像端末の内部構成図である。図２において２０１は映像を入力するカメラ部、２０２はカメラ部２０１から入力された映像信号を符号化する映像符号化部、２０３は映像符号化部２０２で符号化された映像符号データを送信するためのパケット化、シーケンス番号付加、エラー検出コード付加、エラー訂正コード付加等を行うパケット化制御部、２０４はパケットデータの送受信や制御信号の送受信を行うためのプロトコル制御部、２０５は受信したパケットデータを映像符号データ、シーケンス番号、エラー検出コード、エラー訂正コード等に分離するデパケット化制御部、２０６は２０５のパケット化制御部で分離した映像符号データを映像信号に復号する映像復号化部、２０７は映像復号化部２０６で復号された映像信号を表示するためのモニタ部、２０８は映像端末２００を操作するための操作部、２０９は操作部からの入力情報や映像端末２００の情報を通信しシステムを制御するためのシステム制御部、２１０はＬＡＮとの物理的なインターフェースであるＬＡＮ  Ｉ／Ｆである。
【００１６】
図３は図１の３００−１、３００−２の携帯音声端末の内部構成図である。図３において３０１は音声を入力するマイク、３０２はマイク３０１から入力された音声信号を符号化する音声符号化部、３０３は音声符号化部３０２で符号化された音声符号データを送信するためのパケット化、シーケンス番号付加、エラー検出コード付加、エラー訂正コード付加等を行うパケット化制御部、３０４はパケットデータの送受信や制御信号の送受信を行うためのプロトコル制御部、３０５は受信したパケットデータを音声符号データ、シーケンス番号、エラー検出コード、エラー訂正コード等に分離するデパケット化制御部、３０６は３０５のパケット化制御部で分離した音声符号データを音声信号に復号する音声復号化部、３０７は音声復号化部３０６で復号された映像信号を音に変換するスピーカ、３０８は音声端末３００を操作するための操作部、３０９は操作部からの入力情報や音声端末３００の情報を通信しシステムを制御するためのシステム制御部、３１０は無線ＬＡＮとインターフェースである無線ＬＡＮ  Ｉ／Ｆである。
【００１７】
次に、上記システムが使われる例を、図１を使って順に説明する。
【００１８】
管理サーバー１０１は、各携帯音声端末のＩＰアドレスと内線番号との対応を管理テーブル１１３で管理し、Ｈ．３２３のゲートキーパーとしての役割を果たす。ここで携帯音声端末３００−１から携帯音声端末３００−２へ発呼する手順を、図５を使用して説明する。
【００１９】
携帯音声端末３００−１は管理サーバー１０１に対して携帯音声端末３００−２の内線番号に対して発呼したい旨を通知する（１  呼設定）。これを受けて管理サーバー１０１は、携帯音声端末３００−１からの呼設定を携帯音声端末３００−２に伝える（２  呼設定）。この呼設定に対して携帯音声端末３００−２はこれを受け付ける応答を返す（３  応答）。管理サーバー１０１はこれを受けて携帯音声端末３００−１に対して相手から応答があったことを伝える（４  応答）。
【００２０】
この応答によって通信制御用のチャネル（５、６  通信制御用チャネル）が管理サーバー１０１と携帯音声端末３００−１と３００−２の間で開かれ、端末の能力交換や符号化した音声データを通信するための論理データチャネルを開設するための情報等が交換される。この情報交換によって論理データチャネル（７  音声論理データチャネル）が開設され、このチャネルを使用してＲＴＰ、ＲＴＣＰのプロトコルを使用して符号化された音声データが通信され、これにより携帯音声端末３００−１と３００−２で音声による会話が可能となる。
【００２１】
次に携帯音声端末３００−１と映像端末２００−１を連携させてテレビ電話として使用する際の手順を、図１を使って説明する。携帯音声端末３００−１の使用者は、映像端末２００−１に連携させたい携帯音声端末３００−１の内線番号を映像端末２００−１の操作部から入力する。この入力された情報は管理サーバー１０１に送られ、管理サーバー内の管理テーブル１１３が更新され、携帯音声端末２００−１の内線番号に対して映像端末２００−１のＩＰアドレスや、この携帯音声端末と映像端末の組み合わせによって得られる端末能力等を登録する（始めは音声端末の能力しかなかった携帯音声端末３００−１に、映像端末の持つＨ．２６１やＨ．２６３といったビデオ能力が追加され、管理テーブル１１３に登録される。）。
【００２２】
そしてこの情報が新しい携帯音声端末３００−１の端末能力として携帯音声端末３００−２へ送られる。この時点で、携帯音声端末３００−２を映像端末２００−２と同様の手順で連携させることにより、映像端末２００−１と２００−２はそれぞれ携帯音声端末３００−１と３００−２の呼の映像入出力として動作可能となる。
【００２３】
この映像端末の登録からビデオチャネルが開設されるまでの手順を、図６を使って説明する。映像端末２００−１の操作部から携帯音声端末３００−１の電話番号を入力すると映像端末３００−１から管理サーバー１０１に対して制御チャネルの開設要求が出される（８  制御チャネル開設要求）。
【００２４】
この要求によって管理サーバー１０１と映像端末２００−１の間に通信制御チャネルが開設され（９  通信制御チャネル）、このチャネルを使って映像端末２００−１と関係付けたい携帯音声端末３００−１の電話番号や映像端末の映像符号化能力、最大フレームレート、データ転送能力等が管理サーバーに送られ、管理サーバー内の管理テーブルが更新され、携帯音声端末２００−１の内線番号に対して映像端末２００−１のＩＰアドレスや、この携帯音声端末と映像端末の組み合わせによって得られる端末能力等が登録される。同様に映像端末２００−２の側でも携帯音声端末２００−２の電話番号が操作部から入力されると、映像端末２００−２は管理サーバー１０１に対して制御チャネルの開設要求が出される（１０  制御チャネル開設要求）。
【００２５】
この要求によって管理サーバー１０１と映像端末２００−１の間に通信制御チャネルが開設され（１１  通信制御チャネル）、このチャネルを使って映像端末２００−１と関係付けたい携帯音声端末３００−１の電話番号や映像端末の映像符号化能力、最大フレームレート、データ転送能力等が管理サーバーに送られ、管理サーバー内の管理テーブルが更新され、携帯音声端末２００−２の内線番号に対して映像端末２００−２のＩＰアドレスや、この携帯音声端末と映像端末の組み合わせによって得られる端末能力等が登録される。この時点で２地点の端末は音声と映像による通信を行うための準備が整ったことになる。
【００２６】
ここで、映像通信の開始のトリガーとして、携帯音声端末３００−１から映像通信の開始要求が出されると（１２  映像通信開始要求）、管理サーバー１０１は映像端末２００−１、２００−２から受け取った端末の能力情報に基づいて通信モードを決定し、それぞれの映像端末に対して通信制御チャネル８と１０を使用して通信モードや映像論理チャネルを開くための情報等を映像端末２００−１と２００−２に設定する。この情報に基づき、映像端末２００−１、２００−２は映像論理チャネルを開設し（１３  映像論理チャネル）、映像通信を開始する。
【００２７】
ここまで、映像端末と携帯音声端末が分離したもの同士の通信の方法を説明したが、次に、映像端末と携帯音声端末が分離したものと通常のＨ．３２３端末とが通信する場合について説明する。図１の携帯音声端末３００−１とＨ．３２３端末１０３が音声の通信を行うまでの手順が図７の１〜７になる。この１〜７の手順は図５で説明した音声端末同士の手順と同様である。
【００２８】
ここで携帯音声端末３００−１の使用者が携帯音声端末３００−１の内線番号を映像端末２００−１の操作部から入力すると、映像端末２００−１から管理サーバーに対して制御チャネルの開設要求が出される（８  制御チャネル開設要求）。
【００２９】
この要求によって管理サーバー１０１と映像端末２００−１の間に通信制御チャネルが開設される（９  通信制御チャネル）。そして、このチャネルを使って映像端末２００−１と関係付けたい携帯音声端末３００−１の電話番号や映像端末の映像符号化能力、最大フレームレート、データ転送能力等が管理サーバー１０１に送られ、管理サーバー内の管理テーブル１１３が更新され、携帯音声端末３００−１の内線番号に対して映像端末２００−１のＩＰアドレスや、この携帯音声端末と映像端末の組み合わせによって得られる端末能力等が登録される。
【００３０】
ここで、映像通信の開始のトリガーとして、携帯音声端末３００−１から映像通信の開始要求が出されると（１２  映像通信開始要求）、管理サーバー１０１は携帯電話端末３００−１と映像端末２００−１を組み合わせた端末能力を、通信制御チャネル６を使用してＨ．３２３端末１０３と能力交換し直し、映像を含めた通信モードを決定し、通信制御用チャネル５、６、９を使用して新しく決定された通信モードを各端末に対して設定し、映像論理データチャネル１３を開設し、音声論理データチャネル７と映像論理データチャネル１３を使って設定された通信モードで映像・音声の通信を行う。
【００３１】
【発明の効果】
以上の説明から容易に理解できるように、本発明によれば、会話をするための音声端末と映像を送受信するための映像端末を別体として、呼設定を管理サーバー側で処理するようにした事により、携帯音声端末での通話中に、携帯音声端末と映像端末を組み合わせ、テレビ電話として使用できるようにした。このため、出先で携帯音声端末で電話を受け、近くにある映像端末と組み合わせて、テレビ電話として使用するといった使い方も可能となり、携帯音声端末の携帯性とテレビ電話の利便性とを必要に応じて使い分けることが可能となる。
【図面の簡単な説明】
【図１】本発明の第一の実施例に係わるテレビ電話システムの全体構成を示す図
【図２】図１の２００−１、２００−２の映像端末の内部構成図
【図３】図１の３００−１、３００−２の携帯音声端末の内部構成図
【図４】従来のＨ．３２３通信端末のブロック構成図
【図５】携帯音声端末３００−１から携帯音声端末３００−２へ発呼する手順の説明図
【図６】映像端末の登録からビデオチャネルが開設されるまでの手順図
【図７】図１の携帯音声端末３００−１とＨ．３２３端末１０３が音声の通信を行うまでの手順図
【図８】ゲートキーパー経由でのＨ．３２３端末の接続手順を説明する図
【符号の説明】
２０１    カメラ部
２０２    映像符号化部
２０３    パケット化制御部
２０４    プロトコル制御部
２０５    デパケットか制御部
【図１】
2004165949.tif 000003
【図２】
2004165949.tif 000004
【図３】
2004165949.tif 000005
【図４】
2004165949.tif 000006
【図５】
2004165949.tif 000007
【図６】
2004165949.tif 000008
【図７】
2004165949.tif 000009
【図８】
2004165949.tif 000010